(57)【要約】【課題】簡単かつ高精度で紫外線照射部の位置決めをする。【解決手段】被印刷媒体Ｍの支持部３と、ヘッド５と、照射面１２７ｂから紫外線を照射する紫外線照射部２７と、紫外線照射部２７に固定される突出部１８と、フレーム１３と、紫外線照射部２７に固定されフレーム１３に対して取付位置を調整して取り付け可能な取付部１５と、フレーム１３に対して取り付け可能であって取付部１５のフレーム１３に対する取付位置の調整をガイドするガイド部１６と、を備え、ガイド部１６は第１被突き当て部２１６Ａと第２被突き当て部２１６Ｂとを有し、取付部１５は第１被突き当て部２１６Ａと第２被突き当て部２１６Ｂとの間隔Ｇ１よりも幅が狭い突き当て部２１５を有し、照射面１２７ｂと支持部３との間の距離Ｌ０は、該間隔Ｇ１と突き当て部２１５の幅Ｌ１の差Ｇ２と、突出部１８の照射面１２７ｂからの突出長さＬ２との和となっている印刷装置１。【選択図】図６
2020189412.tif 000002
【特許請求の範囲】
【請求項１】
被印刷媒体の支持部と、
前記支持部と対向する位置に設けられ、前記被印刷媒体に紫外線硬化型のインクを吐出するヘッドと、
前記被印刷媒体の幅方向に沿う方向を長手方向として前記支持部と対向する位置に設けられ、前記インクが吐出された前記被印刷媒体に照射面から紫外線を照射する紫外線照射部と、
前記紫外線照射部に固定され、前記照射面よりも前記支持部側に突出する突出部と、
前記紫外線照射部を支持するフレームと、
前記紫外線照射部に固定され前記フレームに対して取付位置を調整して取り付け可能な取付部と、前記フレームに対して取り付け可能であって前記取付部の前記フレームに対する取付位置の調整をガイドするガイド部と、を有する前記紫外線照射部の前記フレームに対する取付位置調整部と、
を備え、
前記ガイド部は、第１被突き当て部と、前記第１被突き当て部に対して対向する位置であって前記第１被突き当て部よりも前記支持部側に設けられた第２被突き当て部と、を有し、
前記取付部は、前記第１被突き当て部と前記第２被突き当て部とが対向する方向である対向方向において、前記第１被突き当て部と前記第２被突き当て部との間に位置するとともに前記第１被突き当て部と前記第２被突き当て部との間隔よりも幅が狭い突き当て部を有し、
前記照射面と前記支持部との間の距離は、前記対向方向における、前記間隔と前記突き当て部の前記幅との差と、前記突出部の前記照射面からの突出長さとの和となっていることを特徴とする印刷装置。
【請求項２】
請求項１に記載の印刷装置において、
前記取付位置調整部は、前記紫外線照射部の長手方向における中心に対して両側に設けられていることを特徴とする印刷装置。
【請求項３】
請求項１または２に記載の印刷装置において、
前記ガイド部は、前記紫外線照射部の短手方向において複数個所に前記第１被突き当て部と前記第２被突き当て部とを有する被突き当て部対を有し、
前記取付部は、複数個所の前記被突き当て部対に対応して前記突き当て部を複数有することを特徴とする印刷装置。
【請求項４】
請求項１から３のいずれか１項に記載の印刷装置において、
前記突出部は、前記紫外線照射部の短手方向において前記紫外線照射部の照射開口と前記ヘッドとの間の位置に、前記紫外線照射部の長手方向にわたり形成されていることを特徴とする印刷装置。
【請求項５】
被印刷媒体の支持部と、
前記支持部と対向する位置に設けられ、前記被印刷媒体に紫外線硬化型のインクを吐出するヘッドと、
突き当て部を有し、前記被印刷媒体の幅方向に沿う方向長手方向として前記支持部と対向する位置に設けられ、前記インクが吐出された前記被印刷媒体に照射面から紫外線を照射する紫外線照射部と、
前記紫外線照射部に固定され、前記照射面よりも前記支持部側に突出する突出部と、
前記紫外線照射部を支持するフレームと、
前記紫外線照射部の前記突き当て部に固定され前記フレームに対して取付位置を調整して取り付け可能な取付部と、
前記フレームに対して取り付け可能であって前記取付部の前記フレームに対する取付位置の調整をガイドするガイド部と、
を備え、
前記ガイド部は、第１被突き当て部と、前記第１被突き当て部に対して対向する位置であって前記第１被突き当て部よりも前記支持部側に設けられた第２被突き当て部と、を有し、
前記突き当て部は、前記第１被突き当て部と前記第２被突き当て部とが対向する方向である対向方向において、前記第１被突き当て部と前記第２被突き当て部との間に位置するとともに前記第１被突き当て部と前記第２被突き当て部との間隔よりも幅が狭く、
前記照射面と前記支持部との間の距離は、前記対向方向における、前記間隔と前記突き当て部の前記幅との差と、前記突出部の前記照射面からの突出長さとの和となっていることを特徴とする印刷装置。
【請求項６】
請求項５に記載の印刷装置において、
前記突き当て部は、前記紫外線照射部の長手方向における中心に対して前記紫外線照射部の両側に設けられ、
前記ガイド部は、前記第１被突き当て部と前記第１被突き当て部と前記第２被突き当て部とを有する被突き当て部対を、前記紫外線照射部の長手方向における中心に対して前記紫外線照射部の両側に設けられていることを特徴とする印刷装置。
【請求項７】
請求項５または６に記載の印刷装置において、
前記ガイド部は、前記紫外線照射部の短手方向において複数個所に前記第１被突き当て部と前記第２被突き当て部とを有する被突き当て部対を有し、
前記紫外線照射部は、複数個所の前記被突き当て部対に対応して前記突き当て部を複数有することを特徴とする印刷装置。
【請求項８】
請求項５から７のいずれか１項に記載の印刷装置において、
前記突出部は、前記紫外線照射部の短手方向において前記紫外線照射部の照射開口と前記ヘッドとの間の位置に、前記紫外線照射部の長手方向にわたり形成されていることを特徴とする印刷装置。
【請求項９】
被印刷媒体の支持部と、
前記支持部と対向する位置に設けられ、前記被印刷媒体に紫外線硬化型のインクを吐出するヘッドと、
前記被印刷媒体の幅方向に沿う方向長手方向として前記支持部と対向する位置に設けられ、該長手方向の一方側に一方側突き当て部を有し、前記インクが吐出された前記被印刷媒体に照射面から紫外線を照射する紫外線照射部と、
前記紫外線照射部に固定され、前記照射面よりも前記支持部側に突出する突出部と、
前記紫外線照射部を支持するフレームと、
前記紫外線照射部の長手方向における一方側に設けられ、前記紫外線照射部の前記一方側突き当て部に固定され前記フレームに対して取付位置を調整して取り付け可能な一方側取付部と、
前記紫外線照射部の長手方向における一方側に設けられ、前記フレームに対して取り付け可能であって前記一方側取付部の前記フレームに対する取付位置の調整をガイドする一方側ガイド部と、
前記紫外線照射部の長手方向における他方側に設けられ、前記紫外線照射部に固定され前記フレームに対して取付位置を調整して取り付け可能な他方側取付部と、
前記紫外線照射部の長手方向における他方側に設けられ、前記フレームに対して取り付け可能であって前記他方側取付部の前記フレームに対する取付位置の調整をガイドする他方側ガイド部と、
を備え、
前記一方側ガイド部及び前記他方側ガイド部は、共に、第１被突き当て部と、前記第１被突き当て部に対して対向する位置であって前記第１被突き当て部よりも前記支持部側に設けられた第２被突き当て部と、を有する被突き当て部対を有し、
前記一方側突き当て部は、前記紫外線照射部の長手方向における一方側において、前記第１被突き当て部と前記第２被突き当て部とが対向する方向である対向方向において、前記第１被突き当て部と前記第２被突き当て部との間に位置するとともに前記第１被突き当て部と前記第２被突き当て部との間隔である一方側間隔よりも幅が狭く、
前記他方側取付部は、前記紫外線照射部の長手方向における他方側において、前記第１被突き当て部と前記第２被突き当て部とが対向する方向である対向方向において、前記第１被突き当て部と前記第２被突き当て部との間に位置するとともに前記第１被突き当て部と前記第２被突き当て部との間隔である他方側間隔よりも幅が狭い他方側突き当て部を有し、
前記一方側間隔と前記他方側間隔とは等しく、前記対向方向において前記一方側間隔と前記一方側突き当て部の前記幅の差及び前記他方側間隔と前記他方側突き当て部の前記幅の差は等しく、
前記照射面と前記支持部との間の距離は、
前記対向方向における、前記一方側間隔と前記一方側突き当て部の前記幅の差と前記突出部の前記照射面からの突出長さとの和となっており、且つ、
前記他方側間隔と前記他方側突き当て部の前記幅との差と、前記突出部の前記照射面からの突出長さとの和となっている
ことを特徴とする印刷装置。
【請求項１０】
請求項９に記載の印刷装置において、
前記突出部は、前記紫外線照射部の短手方向において前記紫外線照射部の照射開口と前記ヘッドとの間の位置に、前記紫外線照射部の長手方向にわたり形成されていることを特徴とする印刷装置。
【請求項１１】
請求項１から４のいずれか１項に記載の印刷装置であって、前記取付部を前記フレームに対する取付位置を調整可能に固定する第１固定部材と、前記ガイド部を前記フレームに対する取付位置を調整可能に固定する第２固定部材と、を有する印刷装置における紫外線照射部の位置決め方法であって、
前記突出部を前記支持部に接触させた状態で、前記第１固定部材により前記取付部を前記フレームに対して固定する第１工程と、
前記第１工程の後に、前記第２被突き当て部に前記突き当て部を接触させた状態で、前記第２固定部材により前記ガイド部を前記フレームに対して固定する第２工程と、
前記第２工程の後に、前記第１固定部材による前記フレームに対する固定を一旦解除し、前記第１被突き当て部に前記突き当て部を接触させた状態にしてから前記第１固定部材により前記取付部を前記フレームに対して固定する第３工程と、
を有することを特徴とする紫外線照射部の位置決め方法。
【請求項１２】
請求項５から８のいずれか１項に記載の印刷装置であって、前記取付部を前記フレームに対する取付位置を調整可能に固定する第１固定部材と、前記ガイド部を前記フレームに対する取付位置を調整可能に固定する第２固定部材と、を有する印刷装置における紫外線照射部の位置決め方法であって、
前記突出部を前記支持部に接触させた状態で、前記第１固定部材により前記取付部を前記フレームに対して固定する第１工程と、
前記第１工程の後に、前記第２被突き当て部に前記突き当て部を接触させた状態で、前記第２固定部材により前記ガイド部を前記フレームに対して固定する第２工程と、
前記第２工程の後に、前記第１固定部材による前記フレームに対する固定を一旦解除し、前記第１被突き当て部に前記突き当て部を接触させた状態にしてから前記第１固定部材により前記取付部を前記フレームに対して固定する第３工程と、
を有することを特徴とする紫外線照射部の位置決め方法。
【発明の詳細な説明】
【技術分野】
【０００１】
本発明は、印刷装置及び紫外線照射部の位置決め方法に関する。
【背景技術】
【０００２】
従来から、紫外線硬化型のインクをヘッドから吐出し、紫外線照射部から紫外線を照射してインクを硬化させて、搬送される被印刷媒体に画像を形成する印刷装置が使用されている。このような印刷装置において、紫外線照射部から照射された紫外線がヘッドに至ると、ヘッドのノズルにおけるインクが硬化し吐出安定性が低下する場合がある。このため、このような印刷装置においては、専用の治具などを用いて高精度で紫外線照射部の位置決めをし、紫外線照射部から照射された紫外線がヘッドに至らないようにしている。また、例えば、特許文献１には、紫外線照射ユニットから照射された紫外線が印刷ヘッドに至ることを抑制するため、紫外線照射ユニットに遮蔽部材を備える印刷装置が開示されている。
【先行技術文献】
【特許文献】
【０００３】
【特許文献１】特開２０１６−１９６１６３号公報
【発明の概要】
【発明が解決しようとする課題】
【０００４】
特許文献１の印刷装置のように遮蔽部材を備えることで紫外線照射部から照射された紫外線がヘッドに至ることを抑制できる。しかしながら、紫外線照射部の位置決め精度が低いと、遮蔽部材を備えていても、紫外線照射部から照射された紫外線がヘッドに至る場合がある。そこで、上記のように従来は、専用の治具などを用いて紫外線照射部の位置決め精度を高くしていた。ただし、専用の治具などを用いるのは手間もコストもかかるため、簡単かつ高精度で紫外線照射部の位置決めをすることが求められている。
【課題を解決するための手段】
【０００５】
上記課題を解決するための本発明の印刷装置は、被印刷媒体の支持部と、前記支持部と対向する位置に設けられ、前記被印刷媒体に紫外線硬化型のインクを吐出するヘッドと、前記被印刷媒体の幅方向に沿う方向を長手方向として前記支持部と対向する位置に設けられ、前記インクが吐出された前記被印刷媒体に照射面から紫外線を照射する紫外線照射部と、前記紫外線照射部に固定され、前記照射面よりも前記支持部側に突出する突出部と、前記紫外線照射部を支持するフレームと、前記紫外線照射部に固定され前記フレームに対して取付位置を調整して取り付け可能な取付部と、前記フレームに対して取り付け可能であって前記取付部の前記フレームに対する取付位置の調整をガイドするガイド部と、を有する前記紫外線照射部の前記フレームに対する取付位置調整部と、を備え、前記ガイド部は、第１被突き当て部と、前記第１被突き当て部に対して対向する位置であって前記第１被突き当て部よりも前記支持部側に設けられた第２被突き当て部と、を有し、前記取付部は、前記第１被突き当て部と前記第２被突き当て部とが対向する方向である対向方向において、前記第１被突き当て部と前記第２被突き当て部との間に位置するとともに前記第１被突き当て部と前記第２被突き当て部との間隔よりも幅が狭い突き当て部を有し、前記照射面と前記支持部との間の距離は、前記対向方向における、前記間隔と前記突き当て部の前記幅との差と、前記突出部の前記照射面からの突出長さとの和となっていることを特徴とする。
【図面の簡単な説明】
【０００６】
【図１】本発明の実施例１に係る印刷装置の概略側面図。
【図２】本発明の実施例１に係る印刷装置の側面図。
【図３】本発明の実施例１に係る印刷装置の要部の側面図。
【図４】本発明の実施例１に係る印刷装置の要部の斜視図。
【図５】本発明の実施例１に係る印刷装置を用いて行う紫外線照射部の位置決め方法を説明するための図であり、第１工程及び第２工程の状態を表す図。
【図６】本発明の実施例１に係る印刷装置を用いて行う紫外線照射部の位置決め方法を説明するための図であり、一部を拡大して表しているとともに、第３工程の状態を表す図。
【図７】本発明の実施例２に係る印刷装置の側面図。
【図８】本発明の実施例２に係る印刷装置の要部の側面図。
【図９】本発明の実施例２に係る印刷装置の要部の斜視図。
【図１０】本発明の実施例２に係る印刷装置を用いて行う紫外線照射部の位置決め方法を説明するための図であり、第１工程及び第２工程の状態を表す図。
【図１１】本発明の実施例２に係る印刷装置を用いて行う紫外線照射部の位置決め方法を説明するための図であり、一部を拡大して表しているとともに、第３工程の状態を表す図。
【図１２】本発明の実施例３に係る印刷装置の側面図。
【発明を実施するための形態】
【０００７】
最初に、本発明について概略的に説明する。  
上記課題を解決するための本発明の第１の態様の印刷装置は、被印刷媒体の支持部と、前記支持部と対向する位置に設けられ、前記被印刷媒体に紫外線硬化型のインクを吐出するヘッドと、前記被印刷媒体の幅方向に沿う方向を長手方向として前記支持部と対向する位置に設けられ、前記インクが吐出された前記被印刷媒体に照射面から紫外線を照射する紫外線照射部と、前記紫外線照射部に固定され、前記照射面よりも前記支持部側に突出する突出部と、前記紫外線照射部を支持するフレームと、前記紫外線照射部に固定され前記フレームに対して取付位置を調整して取り付け可能な取付部と、前記フレームに対して取り付け可能であって前記取付部の前記フレームに対する取付位置の調整をガイドするガイド部と、を有する前記紫外線照射部の前記フレームに対する取付位置調整部と、を備え、前記ガイド部は、第１被突き当て部と、前記第１被突き当て部に対して対向する位置であって前記第１被突き当て部よりも前記支持部側に設けられた第２被突き当て部と、を有し、前記取付部は、前記第１被突き当て部と前記第２被突き当て部とが対向する方向である対向方向において、前記第１被突き当て部と前記第２被突き当て部との間に位置するとともに前記第１被突き当て部と前記第２被突き当て部との間隔よりも幅が狭い突き当て部を有し、前記照射面と前記支持部との間の距離は、前記対向方向における、前記間隔と前記突き当て部の前記幅との差と、前記突出部の前記照射面からの突出長さとの和となっていることを特徴とする。
【０００８】
本態様によれば、第１被突き当て部と第２被突き当て部との間に突き当て部が配置され、照射面と支持部との間の距離が第１被突き当て部と第２被突き当て部との間隔と突き当て部の幅との差と、突出部の照射面からの突出長さとの和となっている。すなわち、対向方向における突き当て部の移動範囲である該間隔が突出部と支持部との間の距離に対応しており、突出部は紫外線照射部に固定されているので、該間隔が所望の長さとなるように調整しておくことで、簡単かつ高精度で紫外線照射部の位置決めをすることができる。
【０００９】
本発明の第２の態様の印刷装置は、前記第１の態様において、前記取付位置調整部は、前記紫外線照射部の長手方向における中心に対して両側に設けられていることを特徴とする。
【００１０】
本態様によれば、紫外線照射部の長手方向における両側で紫外線照射部の位置決めをすることができるので、紫外線照射部の長手方向において紫外線照射部が支持部に対して傾いて位置決めされることを抑制でき、特に高精度で紫外線照射部の位置決めをすることができる。
【００１１】
本発明の第３の態様の印刷装置は、前記第１または第２の態様において、前記ガイド部は、前記紫外線照射部の短手方向において複数個所に前記第１被突き当て部と前記第２被突き当て部とを有する被突き当て部対を有し、前記取付部は、複数個所の前記被突き当て部対に対応して前記突き当て部を複数有することを特徴とする。
【００１２】
本態様によれば、紫外線照射部の短手方向において複数個所で紫外線照射部の位置決めをすることができるので、紫外線照射部の短手方向において紫外線照射部が支持部に対して傾いて位置決めされることを抑制でき、特に高精度で紫外線照射部の位置決めをすることができる。
【００１３】
本発明の第４の態様の印刷装置は、前記第１から第３のいずれか１つの態様において、前記突出部は、前記紫外線照射部の短手方向において前記紫外線照射部の照射開口と前記ヘッドとの間の位置に、前記紫外線照射部の長手方向にわたり形成されていることを特徴とする。
【００１４】
本態様によれば、突出部が紫外線照射部の短手方向において紫外線照射部の照射開口とヘッドとの間の位置に紫外線照射部の長手方向にわたり形成されているので、突出部が遮蔽部材の役割をすることで、紫外線照射部から照射される紫外線がヘッドに至ることを抑制できる。
【００１５】
本発明の第５の態様の印刷装置は、被印刷媒体の支持部と、前記支持部と対向する位置に設けられ、前記被印刷媒体に紫外線硬化型のインクを吐出するヘッドと、突き当て部を有し、前記被印刷媒体の幅方向に沿う方向を長手方向として前記支持部と対向する位置に設けられ、前記インクが吐出された前記被印刷媒体に照射面から紫外線を照射する紫外線照射部と、前記紫外線照射部に固定され、前記照射面よりも前記支持部側に突出する突出部と、前記紫外線照射部を支持するフレームと、前記紫外線照射部の前記突き当て部に固定され前記フレームに対して取付位置を調整して取り付け可能な取付部と、前記フレームに対して取り付け可能であって前記取付部の前記フレームに対する取付位置の調整をガイドするガイド部と、を備え、前記ガイド部は、第１被突き当て部と、前記第１被突き当て部に対して対向する位置であって前記第１被突き当て部よりも前記支持部側に設けられた第２被突き当て部と、を有し、前記突き当て部は、前記第１被突き当て部と前記第２被突き当て部とが対向する方向である対向方向において、前記第１被突き当て部と前記第２被突き当て部との間に位置するとともに前記第１被突き当て部と前記第２被突き当て部との間隔よりも幅が狭く、前記照射面と前記支持部との間の距離は、前記対向方向における、前記間隔と前記突き当て部の前記幅との差と、前記突出部の前記照射面からの突出長さとの和となっていることを特徴とする。
【００１６】
本態様によれば、第１被突き当て部と第２被突き当て部との間に突き当て部が配置され、照射面と支持部との間の距離が第１被突き当て部と第２被突き当て部との間隔と突き当て部の幅との差と、突出部の照射面からの突出長さとの和となっている。すなわち、対向方向における突き当て部の移動範囲である該間隔が突出部と支持部との間の距離に対応しており、突出部は紫外線照射部に固定されているので、該間隔が所望の長さとなるように調整しておくことで、簡単かつ高精度で紫外線照射部の位置決めをすることができる。
【００１７】
本発明の第６の態様の印刷装置は、前記第５の態様において、前記突き当て部は、前記紫外線照射部の長手方向における中心に対して前記紫外線照射部の両側に設けられ、前記ガイド部は、前記第１被突き当て部と前記第１被突き当て部と前記第２被突き当て部とを有する被突き当て部対を、前記紫外線照射部の長手方向における中心に対して前記紫外線照射部の両側に設けられていることを特徴とする。
【００１８】
本態様によれば、紫外線照射部の長手方向における両側で紫外線照射部の位置決めをすることができるので、紫外線照射部の長手方向において紫外線照射部が支持部に対して傾いて位置決めされることを抑制でき、特に高精度で紫外線照射部の位置決めをすることができる。
【００１９】
本発明の第７の態様の印刷装置は、前記第５または第６の態様において、前記ガイド部は、前記紫外線照射部の短手方向において複数個所に前記第１被突き当て部と前記第２被突き当て部とを有する被突き当て部対を有し、前記紫外線照射部は、複数個所の前記被突き当て部対に対応して前記突き当て部を複数有することを特徴とする。
【００２０】
本態様によれば、紫外線照射部の短手方向において複数個所で紫外線照射部の位置決めをすることができるので、紫外線照射部の短手方向において紫外線照射部が支持部に対して傾いて位置決めされることを抑制でき、特に高精度で紫外線照射部の位置決めをすることができる。
【００２１】
本発明の第８の態様の印刷装置は、前記第５から第７のいずれか１つの態様において、前記突出部は、前記紫外線照射部の短手方向において前記紫外線照射部の照射開口と前記ヘッドとの間の位置に、前記紫外線照射部の長手方向にわたり形成されていることを特徴とする。
【００２２】
本態様によれば、突出部が紫外線照射部の短手方向において紫外線照射部の照射開口とヘッドとの間の位置に紫外線照射部の長手方向にわたり形成されているので、突出部が遮蔽部材の役割をすることで、紫外線照射部から照射される紫外線がヘッドに至ることを抑制できる。
【００２３】
本発明の第９の態様の印刷装置は、被印刷媒体の支持部と、前記支持部と対向する位置に設けられ、前記被印刷媒体に紫外線硬化型のインクを吐出するヘッドと、前記被印刷媒体の幅方向に沿う方向を長手方向として前記支持部と対向する位置に設けられ、該長手方向の一方側に一方側突き当て部を有し、前記インクが吐出された前記被印刷媒体に照射面から紫外線を照射する紫外線照射部と、前記紫外線照射部に固定され、前記照射面よりも前記支持部側に突出する突出部と、前記紫外線照射部を支持するフレームと、前記紫外線照射部の長手方向における一方側に設けられ、前記紫外線照射部の前記一方側突き当て部に固定され前記フレームに対して取付位置を調整して取り付け可能な一方側取付部と、前記紫外線照射部の長手方向における一方側に設けられ、前記フレームに対して取り付け可能であって前記一方側取付部の前記フレームに対する取付位置の調整をガイドする一方側ガイド部と、前記紫外線照射部の長手方向における他方側に設けられ、前記紫外線照射部に固定され前記フレームに対して取付位置を調整して取り付け可能な他方側取付部と、前記紫外線照射部の長手方向における他方側に設けられ、前記フレームに対して取り付け可能であって前記他方側取付部の前記フレームに対する取付位置の調整をガイドする他方側ガイド部と、を備え、前記一方側ガイド部及び前記他方側ガイド部は、共に、第１被突き当て部と、前記第１被突き当て部に対して対向する位置であって前記第１被突き当て部よりも前記支持部側に設けられた第２被突き当て部と、を有する被突き当て部対を有し、前記一方側突き当て部は、前記紫外線照射部の長手方向における一方側において、前記第１被突き当て部と前記第２被突き当て部とが対向する方向である対向方向において、前記第１被突き当て部と前記第２被突き当て部との間に位置するとともに前記第１被突き当て部と前記第２被突き当て部との間隔である一方側間隔よりも幅が狭く、前記他方側取付部は、前記紫外線照射部の長手方向における他方側において、前記第１被突き当て部と前記第２被突き当て部とが対向する方向である対向方向において、前記第１被突き当て部と前記第２被突き当て部との間に位置するとともに前記第１被突き当て部と前記第２被突き当て部との間隔である他方側間隔よりも幅が狭い他方側突き当て部を有し、前記一方側間隔と前記他方側間隔とは等しく、前記対向方向において前記一方側間隔と前記一方側突き当て部の前記幅の差及び前記他方側間隔と前記他方側突き当て部の前記幅の差は等しく、前記照射面と前記支持部との間の距離は、前記対向方向における、前記一方側間隔と前記一方側突き当て部の前記幅の差と前記突出部の前記照射面からの突出長さとの和となっており、且つ、前記他方側間隔と前記他方側突き当て部の前記幅との差と、前記突出部の前記照射面からの突出長さとの和となっていることを特徴とする。
【００２４】
本態様によれば、第１被突き当て部と第２被突き当て部との間に突き当て部が配置され、照射面と支持部との間の距離が第１被突き当て部と第２被突き当て部との間隔と突き当て部の幅との差と、突出部の照射面からの突出長さとの和となっている。すなわち、対向方向における突き当て部の移動範囲である該間隔が突出部と支持部との間の距離に対応しており、突出部は紫外線照射部に固定されているので、該間隔が所望の長さとなるように調整しておくことで、簡単かつ高精度で紫外線照射部の位置決めをすることができる。また、紫外線照射部の長手方向における両側で紫外線照射部の位置決めをすることができるので、紫外線照射部の長手方向において紫外線照射部が支持部に対して傾いて位置決めされることを抑制でき、特に高精度で紫外線照射部の位置決めをすることができる。
【００２５】
本発明の第１０の態様の印刷装置は、前記第９の態様において、前記突出部は、前記紫外線照射部の短手方向において前記紫外線照射部の照射開口と前記ヘッドとの間の位置に、前記紫外線照射部の長手方向にわたり形成されていることを特徴とする。
【００２６】
本態様によれば、突出部が紫外線照射部の短手方向において紫外線照射部の照射開口とヘッドとの間の位置に紫外線照射部の長手方向にわたり形成されているので、突出部が遮蔽部材の役割をすることで、紫外線照射部から照射される紫外線がヘッドに至ることを抑制できる。
【００２７】
本発明の第１１の態様の紫外線照射部の位置決め方法は、上記第１から第４のいずれか１つの態様の印刷装置であって、前記取付部を前記フレームに対する取付位置を調整可能に固定する第１固定部材と、前記ガイド部を前記フレームに対する取付位置を調整可能に固定する第２固定部材と、を有する印刷装置における紫外線照射部の位置決め方法であって、前記突出部を前記支持部に接触させた状態で、前記第１固定部材により前記取付部を前記フレームに対して固定する第１工程と、前記第１工程の後に、前記第２被突き当て部に前記突き当て部を接触させた状態で、前記第２固定部材により前記ガイド部を前記フレームに対して固定する第２工程と、前記第２工程の後に、前記第１固定部材による前記フレームに対する固定を一旦解除し、前記第１被突き当て部に前記突き当て部を接触させた状態にしてから前記第１固定部材により前記取付部を前記フレームに対して固定する第３工程と、を有することを特徴とする。
【００２８】
本態様によれば、簡単な方法で、照射面と支持部との間の距離を、対向方向における、第１被突き当て部と第２被突き当て部との間隔と突き当て部の幅との差と、突出部の照射面からの突出長さと、の和とすることができ、簡単かつ高精度で紫外線照射部の位置決めをすることができる。
【００２９】
本発明の第１２の態様の紫外線照射部の位置決め方法は、上記第５から第８のいずれか１つの態様の印刷装置であって、前記取付部を前記フレームに対する取付位置を調整可能に固定する第１固定部材と、前記ガイド部を前記フレームに対する取付位置を調整可能に固定する第２固定部材と、を有する印刷装置における紫外線照射部の位置決め方法であって、前記突出部を前記支持部に接触させた状態で、前記第１固定部材により前記取付部を前記フレームに対して固定する第１工程と、前記第１工程の後に、前記第２被突き当て部に前記突き当て部を接触させた状態で、前記第２固定部材により前記ガイド部を前記フレームに対して固定する第２工程と、前記第２工程の後に、前記第１固定部材による前記フレームに対する固定を一旦解除し、前記第１被突き当て部に前記突き当て部を接触させた状態にしてから前記第１固定部材により前記取付部を前記フレームに対して固定する第３工程と、を有することを特徴とする。
【００３０】
本態様によれば、簡単な方法で、照射面と支持部との間の距離を、対向方向における、第１被突き当て部と第２被突き当て部との間隔と突き当て部の幅との差と、突出部の照射面からの突出長さと、の和とすることができ、簡単かつ高精度で紫外線照射部の位置決めをすることができる。
【００３１】
以下、添付図面を参照して、本発明に係る実施形態を説明する。  
［実施例１］  
最初に、本発明の実施例１に係る印刷装置１の概要について図１を参照して説明する。
【００３２】
本実施例の印刷装置１は、紙、布、フィルムなどの被印刷媒体Ｍに画像を印刷する印刷装置であり、外部装置である不図示のコンピューターと通信可能に接続されている。なお、本実施例の印刷装置１は、図１で表されるように、ロール状に巻かれた被印刷媒体Ｍに印刷することが可能な構成であるが、カット紙など単票状の被印刷媒体Ｍに印刷することが可能な構成としてもよい。
【００３３】
図１で表されるように、本実施例の印刷装置１は、ロール状の被印刷媒体Ｍをセットして回転方向Ｃに回転することで被印刷媒体Ｍを繰り出すことが可能な繰り出し部２を備えている。繰り出し部２により、被印刷媒体Ｍは、第１搬送ローラー対９に繰り出される。そして、第１搬送ローラー対９により搬送方向Ａに搬送される。
【００３４】
第１搬送ローラー対９により搬送される被印刷媒体Ｍは、中継ローラー１０を介して被印刷媒体Ｍの支持部としての搬送ドラム３に至り、回転方向Ｃに回転する搬送ドラム３に密着した状態で搬送される。搬送ドラム３と対向する位置には、紫外線硬化型のインクを吐出するヘッド５と、図４などで表される仮硬化用の紫外線をＬＥＤから照射する紫外線照射部２７を備えた仮照射ユニット７と、を有するヘッドユニット２１が４つ形成されている。詳細には、シアンインクに対応するヘッド５ａと仮照射ユニット７ａとからなるヘッドユニット２１ａ、マゼンタインクに対応するヘッド５ｂと仮照射ユニット７ｂとからなるヘッドユニット２１ｂ、イエローインクに対応するヘッド５ｃと仮照射ユニット７ｃとからなるヘッドユニット２１ｃ、ブラックインクに対応するヘッド５ｄと仮照射ユニット７ｄとからなるヘッドユニット２１ｄ、が形成されている。また、搬送ドラム３と対向する位置における、４つのヘッドユニット２１よりも搬送方向Ａにおいて下流側には、紫外線硬化型のインクを本硬化させる紫外線照射部としての本硬化ユニット８が形成されている。なお、ヘッドユニット２１ａ、ヘッドユニット２１ｂ、ヘッドユニット２１及びヘッドユニット２１ｄは、何れも同じ形状である。
【００３５】
搬送ドラム３に密着した状態で搬送される被印刷媒体Ｍに、４つのヘッドユニット２１により画像が形成される。そして、４つのヘッドユニット２１により被印刷媒体Ｍに形成された画像は、本硬化ユニット８により該画像を形成しているインクが本硬化されることで、該被印刷媒体Ｍに定着する。
【００３６】
また、本硬化ユニット８よりも搬送方向Ａにおいて下流側にはテンションローラー１１が設けられており、テンションローラー１１を介して被印刷媒体Ｍは搬送ドラム３から第２搬送ローラー対１２に搬送される。そして、第２搬送ローラー対１２により搬送された被印刷媒体Ｍは、巻き取り部４を回転方向Ｃに回転することでロール状に巻き取られる。
【００３７】
ここで、本実施例の印刷装置１におけるヘッド５はいずれも、被印刷媒体Ｍの幅方向Ｂに沿ってライン状にノズルが形成されたラインヘッドである。すなわち、本実施例の印刷装置１は、連続的に被印刷媒体Ｍを搬送しながら連続的に印刷を行う所謂ラインプリンターである。ただし、搬送方向Ａと交差する方向に往復移動しながらインクを吐出するヘッドを備えるプリンターであってもよい。
【００３８】
次に、本実施例の印刷装置１の要部である仮照射ユニット７の詳細な構成について図２から図６を用いて詳細に説明する。なお、図２から図６では、本実施例の仮照射ユニット７における幅方向Ｂの一方側を表しているが、幅方向Ｂの他方側も同様の構成をしている。
【００３９】
図２から図４で表されるように、本実施例の印刷装置１は、フレーム１３（フレーム１３Ａ）を備えている。そして、４つのヘッドユニット２１は、何れも取付部１５（取付部１５Ａ）を介してフレーム１３に取り付けられている。図４などで表されるように、仮照射ユニット７は、照射面１２７ｂに紫外線の照射口１２７ａが形成された照射口形成部１２７と該照射口形成部１２７を保持する保持板２２７（保持板２２７Ａ）とを有する紫外線照射部２７と、紫外線照射部２７における保持板２２７に固定されるとともにフレーム１３に対して取り付け位置を調整可能にネジ１１５により取り付けられる取付部１５と、取付部１５のフレーム１３に対する取付位置の調整をガイドすることが可能であるとともにフレーム１３に対して取り付け位置を調整可能にネジ１１６により取り付けられるガイド部１６（ガイド部１６Ａ）と、を備えている。ここで、取付部１５とガイド部１６とで、紫外線照射部２７のフレーム１３に対する取付位置調整部１７を形成している。なお、紫外線照射部２７のフレーム１３に対する取付位置調整の詳細については後述する。
【００４０】
ここで、紫外線照射部２７の長手方向は幅方向Ｂに沿う方向であり、紫外線照射部２７の短手方向は搬送方向Ａに沿う方向である。そして、図２から図４などで表されるように、紫外線照射部２７の短手方向における両端部の位置に、紫外線照射部２７の長手方向にわたり照射面１２７ｂよりも搬送ドラム３側に突出する遮光板１８が形成されている。別の表現をすると、遮光板１８は、紫外線照射部２７から照射される紫外線がヘッド５に至らないように、紫外線照射部２７の短手方向において照射開口である照射口１２７ａとヘッド５との間の位置に形成されている。ここで、遮光板１８は、紫外線照射部２７にネジ止めされることにより固定されており、紫外線照射部２７と一体的に形成されている。なお、本実施例の遮光板１８は、搬送ドラム３側の端部が分割された形状となっているが、照射面１２７ｂよりも搬送ドラム３側に突出する構成であればよく、遮光板１８の形状に特に限定はない。
【００４１】
次に、取付位置調整部１７の詳細な構成について、説明する。上記のように、本実施例の取付位置調整部１７は、取付部１５とガイド部１６とを備えている。ここで、本実施例の取付部１５は、紫外線照射部２７に不図示のネジで固定されているとともに、フレーム１３に対してネジ１１５により取付位置を調整可能に固定することができる構成になっている。また、本実施例のガイド部１６は、フレーム１３に対してネジ１１６により取付位置を調整可能に取り付け可能であって、取付部１５のフレーム１３に対する取付位置の調整をガイドすることができる構成になっている。
【００４２】
図４から図６などで表されるように、取付部１５は略搬送方向Ａに沿って突出する凸状の突き当て部２１５を有し、ガイド部１６は該突き当て部２１５が嵌る凹状の被突き当て部対２１６を有している。そして、被突き当て部対２１６は、突き当て部２１５と接触可能な位置であって搬送ドラム３とは反対側が第１被突き当て部２１６Ａとなっており、突き当て部２１５と接触可能な位置であって搬送ドラム３側が第２被突き当て部２１６Ｂとなっている。なお、第１被突き当て部２１６Ａと第２被突き当て部２１６Ｂとが対向する方向である対向方向Ｄにおける被突き当て部対２１６の間隔Ｇ１は、対向方向Ｄにおける狭い突き当て部２１５の長さよりも長くなっている。
【００４３】
次に、本実施例の印刷装置１において仮照射ユニット７をフレーム１３に取り付ける際の手順について説明する。最初に、第１工程として、突出部としての遮光板１８を搬送ドラム３に接触させた状態で、第１固定部材としてのネジ１１５により取付部１５をフレーム１３に対して固定する。次に、第２工程として、第１工程の後に、第２被突き当て部２１６Ｂに突き当て部２１５を接触させた状態で、第２固定部材としてのネジ１１６によりガイド部１６をフレーム１３に対して固定する。なお、図５は、第１工程及び第２工程における仮照射ユニット７の状態を表している。そして、第３工程として、第２工程の後に、ネジ１１５によるフレーム１３に対する固定を一旦解除し、第１被突き当て部２１６Ａに突き当て部２１５を接触させた状態にしてからネジ１１５により取付部１５をフレーム１３に対して固定する。なお、図６は、第３工程における仮照射ユニット７の状態を表している。
【００４４】
図６で表されるように、このような手順で仮照射ユニット７をフレーム１３に取り付けることで、対向方向Ｄにおける被突き当て部対２１６の間隔Ｇ１と突き当て部の幅Ｌ１との差Ｇ２と、遮光板１８と搬送ドラム３との間の間隔Ｇ３と、が等しくなる。すなわち、照射面１２７ｂと搬送ドラム３との間の距離Ｌ０は、対向方向Ｄにおける被突き当て部対２１６の間隔Ｇ１と突き当て部の幅Ｌ１との差Ｇ２と、遮光板１８の照射面１２７ｂからの突出長さＬ２との和となる。
【００４５】
上記のように本実施例の印刷装置１は、被印刷媒体Ｍの支持部である搬送ドラム３と、搬送ドラム３と対向する位置に設けられ、被印刷媒体Ｍに紫外線硬化型のインクを吐出するヘッド５と、被印刷媒体Ｍの幅方向Ｂに沿う方向を長手方向として搬送ドラム３と対向する位置に設けられ、インクが吐出された被印刷媒体Ｍに照射面１２７ｂから紫外線を照射する紫外線照射部２７と、紫外線照射部２７に固定され、照射面１２７ｂよりも搬送ドラム３側に突出する遮光板１８と、紫外線照射部２７を支持するフレーム１３と、紫外線照射部２７に固定されフレーム１３に対して取付位置を調整して取り付け可能な取付部１５と、フレーム１３に対して取り付け可能であって取付部１５のフレーム１３に対する取付位置の調整をガイドするガイド部１６と、を有する紫外線照射部２７のフレーム１３に対する取付位置調整部１７と、を備えている。そして、ガイド部１６は、第１被突き当て部２１６Ａと、第１被突き当て部２１６Ａに対して対向する位置であって第１被突き当て部２１６Ａよりも搬送ドラム３側に設けられた第２被突き当て部２１６Ｂと、を有している。また、取付部１５は、第１被突き当て部２１６Ａと第２被突き当て部２１６Ｂとが対向する方向である対向方向Ｄにおいて、第１被突き当て部２１６Ａと第２被突き当て部２１６Ｂとの間に位置するとともに第１被突き当て部２１６Ａと第２被突き当て部２１６Ｂとの間隔Ｇ１よりも幅が狭い突き当て部２１５を有している。また、照射面１２７ｂと搬送ドラム３との間の距離Ｌ０は、対向方向Ｄにおける、間隔Ｇ１と突き当て部２１５の幅Ｌ１との差Ｇ２と、遮光板１８の照射面１２７ｂからの突出長さＬ２との和となっている。
【００４６】
このように、本実施例の印刷装置１は、第１被突き当て部２１６Ａと第２被突き当て部２１６Ｂとの間隔Ｇ１に突き当て部２１５が配置され、照射面１２７ｂと搬送ドラム３との間の距離Ｌ０が、該間隔Ｇ１と突き当て部２１５の幅Ｌ１との差Ｇ２と、遮光板１８の照射面１２７ｂからの突出長さＬ２と、の和となっている。すなわち、本実施例の印刷装置１は、対向方向Ｄにおける突き当て部２１５の移動範囲である該間隔Ｇ１が遮光板１８と搬送ドラム３との間の距離である間隔Ｇ３に対応しており、遮光板１８は紫外線照射部２７に固定されているので、該間隔Ｇ１が所望の長さとなるように調整しておくことで、簡単かつ高精度で紫外線照射部２７の位置決めをすることができる構成になっている。
【００４７】
また、上記のように、本実施例の印刷装置１においては、仮照射ユニット７は幅方向Ｂの一方側も他方側も同様の構成をしているので、取付位置調整部１７は、紫外線照射部２７の長手方向における中心に対して両側に設けられている。このため、紫外線照射部２７の長手方向における両側で紫外線照射部２７の位置決めをすることができるので、紫外線照射部２７の長手方向において紫外線照射部２７が搬送ドラム３に対して傾いて位置決めされることを抑制でき、特に高精度で紫外線照射部２７の位置決めをすることができる。
【００４８】
また、図４から図６などで表されるように、本実施例の印刷装置１は、１つの取付位置調整部１７に対応して２カ所に突き当て部２１５と被突き当て部対２１６とを有している。すなわち、本実施例の印刷装置１においては、ガイド部１６は、紫外線照射部２７の短手方向において複数個所に第１被突き当て部２１６Ａと第２被突き当て部２１６Ｂとを有する被突き当て部対２１６を有し、取付部１５は、複数個所の被突き当て部対２１６に対応して突き当て部２１５を複数有している。このため、本実施例の印刷装置１は、紫外線照射部２７の短手方向において複数個所で紫外線照射部２７の位置決めをすることができるので、紫外線照射部２７の短手方向において紫外線照射部２７が搬送ドラム３に対して傾いて位置決めされることを抑制でき、特に高精度で紫外線照射部２７の位置決めをすることができる。
【００４９】
また、上記のように、本実施例の印刷装置１においては、遮光板１８は、紫外線照射部２７の短手方向において照射口１２７ａとヘッド５との間の位置に、紫外線照射部２７の長手方向にわたり形成されているので、紫外線照射部２７から照射される紫外線がヘッドに至ることを効果的に抑制できる。
【００５０】
また、上記のように、本実施例の印刷装置１を用いて、遮光板１８を搬送ドラム３に接触させた状態で、ネジ１１５により取付部１５をフレーム１３に対して固定する第１工程を実行し、第１工程の後に、第２被突き当て部２１６Ｂに突き当て部２１５を接触させた状態で、ネジ１１６によりガイド部１６をフレーム１３に対して固定する第２工程を実行し、第２工程の後に、ネジ１１５によるフレーム１３に対する固定を一旦解除し、第１被突き当て部２１６Ａに突き当て部２１５を接触させた状態にしてからネジ１１５により取付部１５をフレーム１３に対して固定する第３工程を実行することで、簡単に、照射面１２７ｂと搬送ドラム３との間の距離Ｌ０を、対向方向Ｄにおける、第１被突き当て部２１６Ａと第２被突き当て部２１６６Ｂとの間隔Ｇ１と突き当て部２１５の幅Ｌ１との差Ｇ２と、遮光板１８の照射面１２７ｂからの突出長さＬ２と、の和とすることができ、簡単かつ高精度で紫外線照射部２７の位置決めをすることができる。
【００５１】
［実施例２］  
次に、図７から図１１を参照して本発明の実施例２に係る印刷装置１について説明する。ここで、本実施例の印刷装置１は、フレーム１３、取付部１５、ガイド部１６及び保持板２２７以外の構成は実施例１の印刷装置１と同様の構成である。このため、フレーム１３、取付部１５、ガイド部１６及び保持板２２７以外の部分など、構成が共通する部分における説明は省略する。なお、上記実施例１と共通する構成部材は同じ符号で示しており、詳細な説明は省略する。また、図７から図１１では、本実施例の仮照射ユニット７における幅方向Ｂの一方側を表しているが、幅方向Ｂの他方側も同様の構成をしている。
【００５２】
本実施例の印刷装置１は、図７及び図８で表されるように実施例１の印刷装置１におけるフレーム１３Ａとは異なる形状のフレーム１３（フレーム１３Ｂ）を備えている。そして、４つのヘッドユニット２１は、何れも取付部１５（取付部１５Ｂ）を介してフレーム１３に取り付けられている。また、取付部１５のフレーム１３に対する取付位置の調整をガイドすることが可能であるとともにフレーム１３に対して取り付け位置を調整可能に取り付けられるガイド部１６（ガイド部１６Ｂ）と、を備えている。なお、本実施例の印刷装置１における取付部１５Ｂ及びガイド部１６Ｂの形状は、実施例１の印刷装置１における取付部１５Ａ及びガイド部１６Ａの形状と異なっている。
【００５３】
また、図９から図１１で表されるように、本実施例の印刷装置１における保持板２２７（保持板２２７Ｂ）には、幅方向Ｂの両端に突起状の突き当て部２１５が設けられている。そして、図９で表されるように、本実施例の取付部１５は、ガイド部１６を介して該突き当て部２１５が孔部３１５に嵌め合わされることにより紫外線照射部２７に固定された状態でネジ１１５によりフレーム１３に固定される。ここで、図１０、図１１に表されるように、ガイド部１６には突き当て部２１５を通す孔状の被突き当て部対２１６が形成されている。被突き当て部対２１６は、突き当て部２１５と接触可能な位置であって搬送ドラム３とは反対側が第１被突き当て部２１６Ａとなっており、突き当て部２１５と接触可能な位置であって搬送ドラム３側が第２被突き当て部２１６Ｂとなっている。なお、第１被突き当て部２１６Ａと第２被突き当て部２１６Ｂとが対向する方向である対向方向Ｄにおける被突き当て部対２１６の間隔Ｇ１は、対向方向Ｄにおける狭い突き当て部２１５の長さよりも長くなっている。
【００５４】
次に、本実施例の印刷装置１において仮照射ユニット７をフレーム１３に取り付ける際の手順について説明する。最初に、第１工程として、突出部としての遮光板１８を搬送ドラム３に接触させた状態で、第１固定部材としてのネジ１１５により取付部１５をフレーム１３に対して固定する。次に、第２工程として、第１工程の後に、第２被突き当て部２１６Ｂに突き当て部２１５を接触させた状態で、第２固定部材としてのネジ１１６によりガイド部１６をフレーム１３に対して固定する。なお、図１０は、第１工程及び第２工程における仮照射ユニット７の状態を表している。そして、第３工程として、第２工程の後に、ネジ１１５によるフレーム１３に対する固定を一旦解除し、第１被突き当て部２１６Ａに突き当て部２１５を接触させた状態にしてからネジ１１５により取付部１５をフレーム１３に対して固定する。なお、図１１は、第３工程における仮照射ユニット７の状態を表している。
【００５５】
図１１で表されるように、このような手順で仮照射ユニット７をフレーム１３に取り付けることで、対向方向Ｄにおける被突き当て部対２１６の間隔Ｇ１と突き当て部の幅Ｌ１との差Ｇ２と、遮光板１８と搬送ドラム３との間の間隔Ｇ３と、が等しくなる。すなわち、照射面１２７ｂと搬送ドラム３との間の距離Ｌ０は、対向方向Ｄにおける被突き当て部対２１６の間隔Ｇ１と突き当て部２１５の幅Ｌ１との差Ｇ２と、遮光板１８の照射面１２７ｂからの突出長さＬ２との和となる。
【００５６】
すなわち、本実施例の印刷装置１は、被印刷媒体Ｍの支持部である搬送ドラム３と、搬送ドラム３と対向する位置に設けられ、被印刷媒体Ｍに紫外線硬化型のインクを吐出するヘッド５と、突き当て部２１５を有し、被印刷媒体Ｍの幅方向Ｂに沿う方向を長手方向として搬送ドラム３と対向する位置に設けられ、インクが吐出された被印刷媒体Ｍに照射面１２７ｂから紫外線を照射する紫外線照射部２７と、紫外線照射部２７に固定され、照射面１２７ｂよりも搬送ドラム３側に突出する遮光板１８と、紫外線照射部２７を支持するフレーム１３と、紫外線照射部２７の突き当て部２１５に固定されフレーム１３に対して取付位置を調整して取り付け可能な取付部１５と、フレーム１３に対して取り付け可能であって取付部１５のフレーム１３に対する取付位置の調整をガイドするガイド部１６と、を備えている。そして、ガイド部１６は、第１被突き当て部２１６Ａと、第１被突き当て部２１６Ａに対して対向する位置であって第１被突き当て部２１６Ａよりも搬送ドラム３側に設けられた第２被突き当て部２１６Ｂと、を有している。また、突き当て部２１５は、第１被突き当て部２１６Ａと第２被突き当て部２１６Ｂとが対向する方向である対向方向Ｄにおいて、第１被突き当て部２１６Ａと第２被突き当て部２１６Ｂとの間に位置するとともに第１被突き当て部２１６Ａと第２被突き当て部２１６Ｂとの間隔Ｇ１よりも幅が狭く、照射面１２７ｂと搬送ドラム３との間の距離Ｌ０は、対向方向Ｄにおける、間隔Ｇ１と突き当て部２１５の幅Ｌ１との差Ｇ２と、遮光板１８の照射面１２７ｂからの突出長さＬ２との和となっている。
【００５７】
このように、本実施例の印刷装置１は、第１被突き当て部２１６Ａと第２被突き当て部２１６Ｂとの間隔Ｇ１に突き当て部２１５が配置され、照射面１２７ｂと搬送ドラム３との間の距離Ｌ０が、該間隔Ｇ１と突き当て部２１５の幅Ｌ１との差Ｇ２と、遮光板１８の照射面１２７ｂからの突出長さＬ２と、の和となっている。すなわち、本実施例の印刷装置１は、対向方向Ｄにおける突き当て部２１５の移動範囲である該間隔Ｇ１が遮光板１８と搬送ドラム３との間の距離である間隔Ｇ３に対応しており、遮光板１８は紫外線照射部２７に固定されているので、該間隔Ｇ１が所望の長さとなるように調整しておくことで、簡単かつ高精度で紫外線照射部２７の位置決めをすることができる構成になっている。
【００５８】
また、上記のように、本実施例の印刷装置１においては、仮照射ユニット７は幅方向Ｂの一方側も他方側も同様の構成をしているので、突き当て部２１５は、紫外線照射部２７の長手方向における中心に対して紫外線照射部の両側に設けられ、ガイド部１６は、第１被突き当て部２１６Ａと第１被突き当て部２１６Ａと第２被突き当て部２１６Ｂとを有する被突き当て部対２１６を、紫外線照射部２７の長手方向における中心に対して紫外線照射部２７の両側に設けられている。このため、紫外線照射部２７の長手方向における両側で紫外線照射部２７の位置決めをすることができるので、紫外線照射部２７の長手方向において紫外線照射部２７が搬送ドラム３に対して傾いて位置決めされることを抑制でき、特に高精度で紫外線照射部２７の位置決めをすることができる。
【００５９】
また、図７及び図８で表されるように、本実施例の印刷装置１における仮照射ユニット７は、幅方向Ｂの一方側及び他方側の両方において、２カ所に突き当て部２１５と被突き当て部対２１６とを有している。すなわち、本実施例の印刷装置１においては、ガイド部１６は、紫外線照射部２７の短手方向において複数個所に第１被突き当て部２１６Ａと第２被突き当て部２１６Ｂとを有する被突き当て部対２１６を有し、紫外線照射部２７は、複数個所の被突き当て部対２１６に対応して突き当て部２１５を複数有している。このため、本実施例の印刷装置１は、紫外線照射部２７の短手方向において複数個所で紫外線照射部２７の位置決めをすることができるので、紫外線照射部２７の短手方向において紫外線照射部２７が搬送ドラム３に対して傾いて位置決めされることを抑制でき、特に高精度で紫外線照射部２７の位置決めをすることができる。
【００６０】
また、上記のように、本実施例の印刷装置１においては、遮光板１８は、紫外線照射部２７の短手方向において照射口１２７ａとヘッド５との間の位置に、紫外線照射部２７の長手方向にわたり形成されているので、紫外線照射部２７から照射される紫外線がヘッドに至ることを効果的に抑制できる。
【００６１】
また、上記のように、本実施例の印刷装置１を用いて、遮光板１８を搬送ドラム３に接触させた状態で、ネジ１１５により取付部１５をフレーム１３に対して固定する第１工程を実行し、第１工程の後に、第２被突き当て部２１６Ｂに突き当て部２１５を接触させた状態で、ネジ１１６によりガイド部１６をフレーム１３に対して固定する第２工程を実行し、第２工程の後に、ネジ１１５によるフレーム１３に対する固定を一旦解除し、第１被突き当て部２１６Ａに突き当て部２１５を接触させた状態にしてからネジ１１５により取付部１５をフレーム１３に対して固定する第３工程を実行することで、簡単に、照射面１２７ｂと搬送ドラム３との間の距離Ｌ０を、対向方向Ｄにおける、第１被突き当て部２１６Ａと第２被突き当て部２１６Ｂとの間隔Ｇ１と突き当て部２１５の幅Ｌ１との差Ｇ２と、遮光板１８の照射面１２７ｂからの突出長さＬ２と、の和とすることができ、簡単かつ高精度で紫外線照射部２７の位置決めをすることができる。
【００６２】
［実施例３］  
次に、図１２を参照して本発明の実施例３に係る印刷装置１について説明する。ここで、本実施例の印刷装置１は、図１２で表されるように、仮照射ユニット７における幅方向Ｂの一方側については実施例２に係る印刷装置１と同様の構成であり、仮照射ユニット７における幅方向Ｂの他方側については実施例１に係る印刷装置１と同様の構成である。そして、それ以外の構成は実施例１及び実施例２の印刷装置１と同様の構成である。このため、詳細な説明は省略する。
【００６３】
すなわち、本実施例の印刷装置１は、被印刷媒体Ｍの支持部である搬送ドラム３と、搬送ドラム３と対向する位置に設けられ、被印刷媒体Ｍに紫外線硬化型のインクを吐出するヘッド５と、ヘッド５と対向する側を長手方向として搬送ドラム３と対向する位置に設けられ、該長手方向の一方側に突き当て部２１５（一方側突き当て部）を有し、インクが吐出された被印刷媒体Ｍに照射面１２７ｂから紫外線を照射する紫外線照射部２７と、紫外線照射部２７に固定され、照射面１２７ｂよりも搬送ドラム３側に突出する遮光板１８と、紫外線照射部２７を支持するフレーム１３と、紫外線照射部２７の長手方向における一方側に設けられ、紫外線照射部２７の一方側突き当て部に固定されフレーム１３に対して取付位置を調整して取り付け可能な取付部１５（一方側取付部）と、紫外線照射部２７の長手方向における一方側に設けられ、フレーム１３に対して取り付け可能であって一方側取付部のフレーム１３に対する取付位置の調整をガイドするガイド部１６（一方側ガイド部）と、紫外線照射部２７の長手方向における他方側に設けられ、紫外線照射部２７に固定されフレーム１３に対して取付位置を調整して取り付け可能な取付部１５（他方側取付部）と、紫外線照射部２７の長手方向における他方側に設けられ、フレーム１３に対して取り付け可能であって他方側取付部のフレーム１３に対する取付位置の調整をガイドするガイド部１６（他方側ガイド部）と、を備えている。そして、一方側ガイド部及び他方側ガイド部は、共に、第１被突き当て部２１６Ａと、第１被突き当て部２１６Ａに対して対向する位置であって第１被突き当て部よりも搬送ドラム３側に設けられた第２被突き当て部２１６Ｂと、を有する被突き当て部対２１６を有している。また、一方側突き当て部は、紫外線照射部２７の長手方向における一方側において、第１被突き当て部２１６Ａと第２被突き当て部２１６Ｂとが対向する方向である対向方向Ｄにおいて、第１被突き当て部２１６Ａと第２被突き当て部２１６Ｂとの間に位置するとともに第１被突き当て部２１６Ａと第２被突き当て部２１６Ｂとの間隔（間隔Ｇ１）である一方側間隔よりも幅が狭い。また、他方側取付部は、紫外線照射部２７の長手方向における他方側において、第１被突き当て部２１６Ａと第２被突き当て部２１６Ｂとが対向する方向である対向方向Ｄにおいて、第１被突き当て部２１６Ａと第２被突き当て部２１６Ｂとの間に位置するとともに第１被突き当て部２１６Ａと第２被突き当て部２１６Ｂとの間隔（間隔Ｇ１）である他方側間隔よりも幅が狭い突き当て部２１５（他方側突き当て部）を有している。また、一方側間隔と他方側間隔とは等しく、対向方向Ｄにおいて一方側間隔と一方側突き当て部の幅との差と他方側間隔と他方側突き当て部の幅との差は等しい。そして、照射面１２７ｂと搬送ドラム３との間の距離Ｌ０は、対向方向Ｄにおける、一方側間隔と一方側突き当て部の幅との差（間隔Ｇ１と突き当て部２１５の幅Ｌ１との差Ｇ２）と遮光板１８の照射面１２７ｂからの突出長さＬ２との和となっており、さらに、照射面１２７ｂと搬送ドラム３との間の距離Ｌ０は、他方側間隔と他方側突き当て部の幅との差（間隔Ｇ１と突き当て部２１５の幅Ｌ１との差Ｇ２）と、遮光板１８の照射面１２７ｂからの突出長さＬ２との和となっている。
【００６４】
このように、本実施例の印刷装置１は、第１被突き当て部２１６Ａと第２被突き当て部２１６Ｂとの間隔Ｇ１に突き当て部２１５が配置され、照射面１２７ｂと搬送ドラム３との間の距離Ｌ０が、該間隔Ｇ１と突き当て部２１５の幅Ｌ１の差Ｇ２と、遮光板１８の照射面１２７ｂからの突出長さＬ２と、の和となっている。すなわち、本実施例の印刷装置１は、対向方向Ｄにおける突き当て部２１５の移動範囲である該間隔Ｇ１が遮光板１８と搬送ドラム３との間の距離である間隔Ｇ３に対応しており、遮光板１８は紫外線照射部２７に固定されているので、該間隔Ｇ１が所望の長さとなるように調整しておくことで、簡単かつ高精度で紫外線照射部２７の位置決めをすることができる構成になっている。また、紫外線照射部２７の長手方向における両側で紫外線照射部２７の位置決めをすることができるので、紫外線照射部２７の長手方向において紫外線照射部２７が搬送ドラム３に対して傾いて位置決めされることを抑制でき、特に高精度で紫外線照射部２７の位置決めをすることができる。
【００６５】
また、上記のように、本実施例の印刷装置１においては、遮光板１８は、紫外線照射部２７の短手方向において照射口１２７ａとヘッド５との間の位置に、紫外線照射部２７の長手方向にわたり形成されているので、紫外線照射部２７から照射される紫外線がヘッドに至ることを効果的に抑制できる。
【００６６】
また、上記のように、本実施例の印刷装置１においては、遮光板１８は、紫外線照射部２７の短手方向において照射口１２７ａとヘッド５との間の位置に、紫外線照射部２７の長手方向にわたり形成されているので、紫外線照射部２７から照射される紫外線がヘッドに至ることを効果的に抑制できる。
【００６７】
なお、上記実施例においては、ネジ１１５により取付部１５をフレーム１３に対して固定する際に、突出部としての遮光板１８を搬送ドラム３に接触させた状態で取付部１５をフレーム１３に対して固定しているが、この方法の場合、被印刷媒体Ｍの厚みが変わると被印刷媒体Ｍの表面から照射面１２７ｂまでの距離が被印刷媒体Ｍの厚みに応じて変化してしまう。このため、被印刷媒体Ｍの厚みに応じて、紫外線照射部２７から照射される紫外線の照射強度を補正可能にしてもよい。
【００６８】
または、突出部としての遮光板１８を搬送ドラム３に支持された被印刷媒体Ｍに接触させた状態で、取付部１５をフレーム１３に対して固定するようにしてもよい。この場合、使用する被印刷媒体Ｍの厚みが変わったとしても、被印刷媒体Ｍの表面から照射面１２７ｂまでの距離を常に一定に保つことができる。
【００６９】
なお、本発明は上記実施例に限定されることなく、特許請求の範囲に記載した発明の範囲内で種々の変形が可能であり、それらも本発明の範囲内に含まれることは言うまでもない。
【符号の説明】
【００７０】
１…印刷装置、２…繰り出し部、３…搬送ドラム（支持部）、４…巻き取り部、
５…ヘッド、５ａ…ヘッド、５ｂ…ヘッド、５ｃ…ヘッド、５ｄ…ヘッド、
７…仮照射ユニット、７ａ…仮照射ユニット、７ｂ…仮照射ユニット、
７ｃ…仮照射ユニット、７ｄ…仮照射ユニット、８…本硬化ユニット、
９…第１搬送ローラー対、１０…中継ローラー、１１…テンションローラー、
１２…第２搬送ローラー対、１３…フレーム、１３Ａ…フレーム、１３Ｂ…フレーム、
１５…取付部、１５Ａ…取付部、１５Ｂ…取付部、１６…ガイド部、
１６Ａ…ガイド部、１６Ｂ…ガイド部、１７…取付位置調整部、
１８…遮光板（突出部）、２７…紫外線照射部、１１５…ネジ（第１固定部材）、
１２７…照射口形成部、１２７ａ…照射口（照射開口）、１２７ｂ…照射面、
２１５…突き当て部、１１６…ネジ（第２固定部材）、２１６…被突き当て部対、
２１６Ａ…第１被突き当て部、２１６Ｂ…第２被突き当て部、２２７…保持板、
２２７Ａ…保持板、２２７Ｂ…保持板、３１５…孔部、Ｍ…被印刷媒体
【図１】
2020189412.tif 000003
【図２】
2020189412.tif 000004
【図３】
2020189412.tif 000005
【図４】
2020189412.tif 000006
【図５】
2020189412.tif 000007
【図６】
2020189412.tif 000008
【図７】
2020189412.tif 000009
【図８】
2020189412.tif 000010
【図９】
2020189412.tif 000011
【図１０】
2020189412.tif 000012
【図１１】
2020189412.tif 000013
【図１２】
2020189412.tif 000014